(57)【要約】紮止バンド分配装置用の改善した先端部が、バンドの回転を促進する横断溝あるいはねじ山を有している。一つの実施態様において、該サポート表面に延伸されている場合の該バンドの幅は、該サポート表面における該横断溝のピッチとほぼ同一であるように、該サポート表面における、該紮止バンドと該横断溝とが寸法化されている。他の実施態様において該サポート表面に延伸されている場合の該バンドの幅は、該サポート表面における該横断溝のピッチより小さくなる該サポート表面における、該紮止バンドと該横断溝とが寸法化されている。該サポート表面に延伸されている場合の該バンドの幅が、該サポート表面における該横断溝のピッチ以下の場合、該バンドは該横断溝に合うようになっている。このことは、バンドの回転動作を誘発するべく、バンドがねじ山頂部により十分に抑止されることを保証している。さらに、バンドの回転動作を誘発するべく、バンドがねじ山頂部により十分に抑止されることを保証するために、ねじ山頂部の高さを十分に高くするように横断溝あるいはねじ山は寸法化されてもよい。
2005529651.tif 000002
【特許請求の範囲】
【請求項１】
サポート構造体と、複数の紮止バンドとを具備する紮止バンド分配装置において：
該サポート構造体は、外表面において複数の紮止バンドとトリガラインとを受け入れるようになっているほぼ円筒状のサポート表面を具備していて、該サポート表面は、先端部から基端部へ全体を通して軸方向に延伸しているチャンネルを有しており、該サポート表面が軸方向に延伸する第一ねじ山の少なくとも一つを含んでいて、該第一ねじ山の少なくとも一つは、該複数の紮止バンドをトリガラインから離れた位置に維持しており、該第一ねじ山の少なくとも一つが外面に複数の横断溝を含んでいて；
該複数の紮止バンドが該サポート表面に延伸されており；
該サポート表面に延伸されている場合の該バンドの幅は、該サポート表面における該横断溝のピッチとほぼ同一であるように、該サポート表面における、該紮止バンドと該横断溝とが寸法化されている；紮止バンド分配装置。
【請求項２】
横断ねじ山が隣接する横断ねじ山の間に設置されて、複数の横断ねじ山となっていて；さらに該紮止バンドが回転動作を誘発するべく該横断ねじ山により十分に抑止されるように、該横断ねじ山の高さが寸法化されている、請求項１に記載の紮止バンド分配装置。
【請求項３】
該横断ねじ山の高さが約０．４５７２mm（約０．０１８in）である、請求項２に記載の紮止バンド分配装置。
【請求項４】
該サポート表面における該横断溝のピッチが、約１．５２４mm（約０．０６０in）である、請求項１に記載の紮止バンド分配装置。
【請求項５】
該サポート表面に延伸された場合の該紮止バンドの幅が、約１．５２４mm（約０．０６０in）である、請求項１に記載の紮止バンド分配装置。
【請求項６】
該サポート表面が、約１０．１６〜１５．２４mm（約０．４〜０．６in）の外径である、請求項１に記載の紮止バンド分配装置。
【請求項７】
該サポート表面が、該トリガライン保持用の、該先端部に配列された複数のスロットをさらに含んでいて；該紮止バンド及び該トリガラインが該サポート表面に配列される場合、トリガラインはたいていの場合各スロットを通過するように、該サポート表面がスロットの合計数を含んでいる；請求項１に記載の紮止バンド分配装置。
【請求項８】
複数の浅いスロットと深いスロットとを具備していて；該複数の浅いスロットと深いスロットとがスロットの対にグループ化されており、該スロットの対各々は該浅いスロットの一つと、隣接する該深いスロットの一つとを含んでいて；該スロットの対各々が該第一ねじ山の対応する対の間に配列されている；請求項１に記載の紮止バンド分配装置。
【請求項９】
該サポート表面の該外表面が、軸方向に延伸している第二ねじ山の少なくとも一つをさらに含んでいて、該第二ねじ山の少なくとも一つが、該紮止バンドを該サポート表面から離れた位置に維持している、請求項１に記載の紮止バンド分配装置。
【請求項１０】
サポート構造体と、複数の紮止バンドとを具備する紮止バンド分配装置において：
該サポート構造体は、外表面において複数の紮止バンドとトリガラインとを受け入れるようになっているほぼ円筒状のサポート表面を具備していて、該サポート表面は、先端部から基端部へ全体を通して軸方向に延伸しているチャンネルを有しており、該サポート表面が軸方向に延伸する第一ねじ山の少なくとも一つを含んでいて、該第一ねじ山の少なくとも一つは、該複数の紮止バンドをトリガラインから離れた位置に維持しており、該第一ねじ山の少なくとも一つが外面に複数の横断溝を含んでいて；
該複数の紮止バンドが該サポート表面に延伸されており；
該サポート表面に延伸されている場合の該バンドの幅は、該サポート表面における該横断溝のピッチより小さくなるように、該サポート表面における、該紮止バンドと該横断溝とが寸法化されている；紮止バンド分配装置。
【請求項１１】
横断ねじ山が隣接する横断ねじ山の間に設置されて、複数の横断ねじ山となっていて；さらに該紮止バンドが回転動作を誘発するべく該横断ねじ山により十分に抑止されるように、該横断ねじ山の高さが寸法化されている、請求項１０に記載の紮止バンド分配装置。
【請求項１２】
該横断ねじ山の高さが約０．４５７２mm（約０．０１８in）である、請求項１１に記載の紮止バンド分配装置。
【請求項１３】
該サポート表面における該横断溝のピッチが、約１．５２４mm（約０．０６０in）である、請求項１０に記載の紮止バンド分配装置。
【請求項１４】
該サポート表面に延伸された場合の該紮止バンドの幅が、約１．５２４mm（約０．０６０in）である、請求項１０に記載の紮止バンド分配装置。
【請求項１５】
該サポート表面が、約１０．１６〜１５．２４mm（約０．４〜０．６in）の外径である、請求項１０に記載の紮止バンド分配装置。
【請求項１６】
該サポート表面が、該トリガライン保持用の、該先端部に配列された複数のスロットをさらに含んでいて；該紮止バンド及び該トリガラインが該サポート表面に配列される場合、トリガラインはたいていの場合各スロットを通過するように、該サポート表面がスロットの合計数を含んでいる；請求項１０に記載の紮止バンド分配装置。
【請求項１７】
複数の浅いスロットと深いスロットとを具備していて；該複数の浅いスロットと深いスロットとがスロットの対にグループ化されており、該スロットの対各々は該浅いスロットの一つと、隣接する該深いスロットの一つとを含んでいて；該スロットの対各々が該第一ねじ山の対応する対の間に配列されている；請求項１０に記載の紮止バンド分配装置。
【請求項１８】
該サポート表面の該外表面が、軸方向に延伸している第二ねじ山の少なくとも一つをさらに含んでいて、該第二ねじ山の少なくとも一つが、該紮止バンドを該サポート表面から離れた位置に維持している、請求項１０に記載の紮止バンド分配装置。
【請求項１９】
紮止バンド展開方法が：
サポート構造体を準備する段階であって；該サポート構造体は、外表面において複数の紮止バンドとトリガラインとを受け入れるようになっているほぼ円筒状のサポート表面を具備していて、該サポート表面は、先端部から基端部へ全体を通して軸方向に延伸しているチャンネルを有しており、該サポート表面が軸方向に延伸する第一ねじ山の少なくとも一つを含んでいて、該第一ねじ山の少なくとも一つは、該複数の紮止バンドをトリガラインから離れた位置に維持しており、該第一ねじ山の少なくとも一つが外面に複数の横断溝を含んでいる；サポート構造体を準備する段階と；
複数の紮止バンドを準備する段階であって；該複数の紮止バンドが該サポート表面に延伸されており；該サポート表面に延伸されている場合の該バンドの幅は、該サポート表面における該横断溝のピッチ以下になるように、該サポート表面における、該紮止バンドと該横断溝とが寸法化されていて、従って該紮止バンドは該横断溝に合うようになっている；複数の紮止バンドを準備する段階と；
該紮止バンドにおいて、該サポート構造体の先端部へ向かう回転動作を誘発するように該トリガラインを作動する段階と；
を含んでいる紮止バンド展開方法。
【請求項２０】
横断ねじ山が隣接する横断ねじ山の間に設置されて、複数の横断ねじ山となっていて；さらに該紮止バンドが回転動作を誘発するべく該横断ねじ山により十分に抑止されるように、該横断ねじ山の高さが寸法化されている；請求項１９に記載の紮止バンド展開方法。
【発明の詳細な説明】
【技術分野】
【０００１】
本発明は、組織の紮止に関するもので、特に紮止バンド分配装置用の改善した先端部に関する。
【背景技術】
【０００２】
背景技術情報
医者は、内部の痔疾及び炎症を含めた外傷を処理し、さらに機械的に止血するために、弾力性のある紮止バンドを使用してきた。そのような紮止の目的は、変形していない直径により大きく第一にバンドを延伸し、続いて紮止する組織をバンド内に引き込むことにより、対象とする外傷あるいは血管部分をおおって、一般に弾力性のある紮止バンドを位置決めすることである。その後バンドは、放出され収縮し、バンド内に保持された組織の部分に内向きの圧力を作用する。バンドにより作用される内向き圧力の効果は、対象とされる組織の循環すべてを停止し、従って組織を死滅させるものである。生体が死滅した組織を分離するか、又は死滅した組織は内視鏡等により吸引されてもよい。
【０００３】
従来の紮止バンド分配装置のあるものは、ユーザが一回に単一の紮止バンドだけしか分配できなかった。すなわち、単一の紮止バンド分配後に、もしユーザが組織の他の部分を紮止することを必要とした場合、ユーザは、装置を患者の身体からはずし、新しいバンドを装置に充填し、そして装置を患者の身体の必要とされる部分に再挿入する必要があった。
【０００４】
Zaslavsky等による特許文献１は、弾力性のある紮止バンドが延伸されている、ほぼ円筒状のサポート表面を含んでいる紮止バンド分配装置を開示していて、参考としてここに包含するものである。円筒状のサポート表面は、通常内視鏡の先端部に取りつけられていて、その内視鏡が身体の対象とする部分へ進行してゆく。続いてユーザは内視鏡を介して吸引し、紮止する組織を円筒状サポート表面に引き込み、そして紮止バンドをはずし組織周囲で収縮させる。特許文献１による装置は、ユーザが紮止バンドを再充填するべく患者の身体から装置をはずすことなく数個の紮止バンドを所望する位置に位置決めすることを可能にする一方で、紮止バンドを展開するために複数の引張用ストリングを必要としている。これらの引張用ストリングはお互いに干渉し、あるいはもつれ、あるいは内視鏡の作動チャンネルに余分の空間を必要とするかも知れなくて、従ってカテーテルタイプの附属装置を使用することが阻止されている。さらに、これらの装置の先端部に含まれる紮止バンドの数が増加し、引張用ストリングの数も増加し、分配装置自身か細長いものとなる。従って、通常これらの装置が連結される内視鏡の視野が減少されてきた。
【０００５】
Tolkoffによる特許文献２及び３は、紮止バンド分配装置用の先端部を開示していて、複数の紮止バンドが同一のトリガラインにより順次作動できるようになっており、参考としてここに包含するものである。さらに、バンドは装置の先端部から、ある距離だけ離間して設置されていて、円筒状サポート表面全体あるいは一部分が透明になっている。
【０００６】
Fortier等による特許文献４も、紮止バンド分配装置用の先端部を開示していて、複数の紮止バンドが同一のトリガラインにより順次作動されるようになっており、参考としてここに包含するものである。特許文献４における、図５−１４の実施態様に示めされるサポート構造体が、装置の先端部に複数のスロットを含んでいて、それらのスロットは、トリガラインが各スロットを一回通過する必要があるように配列されている。このことは隣接する通路のトリガラインがお互いによじれあるいはもつれることを防止している。さらに、特許文献４は、スロットが別の深さであってもよくて、浅いスロットと深いスロットが、トリガラインを保持するための先端部に交互に配列されていることを開示している。そのような配列を用いて、トリガラインの先導部分は、二つの隣接するスロットの浅いスロットに位置決めされ、従って、トリガラインの先導部分が装置の先端リムにより近接することを保証している。このことが展開の信頼性を高めている。深いスロットは、トリガラインが時にはずれることを防止している。さらにスロット各々はトリガラインより細くてもよくて、そのこともトリガラインがスロットからはずれることを防止している。
【０００７】
特許文献４に開示され、図１７−１９の実施態様に示めされているように、複数の軸方向に延伸しているねじ山を含んでいてもよくて、バンドがトリガラインに沿って摺動することを防止することにより、かつサポート表面に沿ってバンドの回転を容易にすることにより、紮止バンドの展開を促進するようになっている。サポート表面に沿ってバンドを摺動させる代わりに回転させることはバンドの展開を促進している。もしバンドがサポート表面に沿って摺動すると、バンドは展開しない。軸方向に延伸しているねじ山は摩擦面を有していて、その摩擦面が例えば複数の横断溝あるいはのこぎり歯輪郭を含んでいると説明されている（コラム８、２−４行）。
【０００８】
特許文献４の開示内容全体を参考としてここに包含するものであるが、前述したように、特に図５−１４及び図１７−１９における実施態様を参考とするものである。特許文献４の残りで、バンドの展開手段を含んでいるこれらの実施態様の説明と図面とは、参考としてここに包含するものである。
【０００９】
医者は、前述の装置のあるものを使用する場合、挿入を促進するために、装置に時に潤滑剤を塗布する。潤滑剤は挿入を促進する一方で、紮止バンドとサポート表面との間の摩擦を低減してもいる。摩擦の低減は、紮止バンドがサポート表面に沿って回転するかわりに摺動することをもたらし、従ってバンドの展開が成功する可能性を低減させるかも知れない。
【００１０】
【特許文献１】米国特許第５３９８８４４号明細書
【特許文献２】米国特許第５８５３４１６号明細書
【特許文献３】米国特許第６０５９７９８号明細書
【特許文献４】米国特許第５９１３８６５号明細書
【発明の開示】
【発明が解決しようとする課題】
【００１１】
本発明の要約
本発明は紮止バンド分配装置用の改善した先端部を提供することを意図していて、装置は、バンドが摺動する代わりに回転することを促進する、改善した横断溝あるいはねじ山輪郭を有している。
【課題を解決するための手段】
【００１２】
一つの実施態様において、該サポート表面に延伸されている場合の該バンドの幅は、該サポート表面における該横断溝のピッチとほぼ同一であるように、該サポート表面における、該紮止バンドと該横断溝とが寸法化されている。他の実施態様において該サポート表面に延伸されている場合の該バンドの幅は、該サポート表面における該横断溝のピッチより小さくなる該サポート表面における、該紮止バンドと該横断溝とが寸法化されている。該サポート表面に延伸されている場合の該バンドの幅が、該サポート表面における該横断溝のピッチ以下の場合、該バンドは該横断溝に合うようになっている。このことは、バンドの回転動作を誘発するべく、バンドがねじ山頂部により十分に抑止されることを保証している。
【００１３】
他の実施態様において、さらに横断溝あるいはねじ山のピッチを延伸したバンドの幅以上にすることに加えて；バンドの回転動作を誘発するべく、バンドがねじ山頂部により十分に抑止されることを保証するために、ねじ山頂部の高さを十分に高くするように横断溝あるいはねじ山は寸法化されてもよい。
【発明を実施するための最良の形態】
【００１４】
本発明は、添付図を参照しての以下の詳細な説明により、容易に理解できるであろう。
図１及び２が、紮止バンド４の展開に作用している力を示めしていて、図２は、図１における重要部分の拡大図である。いずれの構造においても、バンド４は、サポート表面１３０の先端部１１４へ向けて引かれていて、バンドが、サポート表面１３０を摺動というよりはむしろ回転することにより、確実なバンドの展開が容易になっている。回転動作は、例えばバンド４の頂部をおおって引かれるトリガライン２０と、バンド及びサポート表面１３０の間における摩擦とにより生じている。回転は、例えばトリガライン２０がバンド４と接触する点において始まり、バンド周囲に広がってゆく。この回転がバンド４の先端への移動をもたらす。
【００１５】
バンド４が回転するかわりに摺動する場合潜在的な問題が発生する。もしバンドがサポート表面１３０を横切って摺動すると、トリガライン２０におけるバンド４のその部分は、サポート表面の先端リムに達するかも知れなくて、従って、トリガライン２０の真反対位置におけるバンド４において運動が始まる前に、先端リムにおける一つ以上のスロット１２４から自由になってしまう（スロット１２４は図３に示めす）。このことがトリガライン２０の作用しないバンド４をもたらしている。また、もしバンド４がサポート表面１３０を横切って摺動すると、トリガライン２０を前方へ押すようになる。このことはトリガライン２０をスロットからはずすことになり、トリガライン２０の作用しないバンド４をもたらしている。トリガライン２０自身がこの問題を悪化させている。というのはトリガライン２０はバンド４に比較的小さな摩擦の表面を提供していて、摺動のチャンスを増大している。また、摺動運動のために、バンド４がトリガライン２０の反対側のサポート表面１３０の点において、移動しにくい傾向がある。もしバンド４が例えば通常の消毒サイクルにより熱を受けると、このことが顕著なものになる。
【００１６】
図３に示めすように、従来技術におけるサポート表面１３０は、例えば複数の第一ねじ山１７０と少なくとも一つの第二ねじ山１７２とを含んでいて、バンド４の回転を容易にしている。図３−５に示めすように、第一ねじ山１７０はスロット１２４の近傍に配列されている。例示の配列において、第一ねじ山１７０は、対のスロット１２４が隣接している第一ねじ山１７０の対各々の間に配列されるように配列されていてもよい。もしサポート表面１３０が、交互に浅いスロット及び深いスロットも含んでいるなら、各タイプのスロットの一つは、例えば各々が対応する第一ねじ山１７０の対の間に配列されてもよい。代りに、すべてのスロット１２４が同一深さであってもよい。
【００１７】
第一ねじ山１７０は、好ましくはバンド４がトリガライン２０から離れて維持されるように、十分厚いものである。このようにして、バンド４はトリガライン２０に沿って摺動不可能であり、あるいはトリガライン２０を押すこともできない。
【００１８】
図３−５において、サポート表面１３０が、例えば軸方向に延伸する少なくとも一つの第二ねじ山１７２を含んでいる。第二ねじ山１７２の対が図示されている。第二ねじ山１７２は、例えばバンド４とサポート表面１３０との間の接触面積を低減しており、従ってバンド４がサポート表面１３０と固着する傾向を低減している。さらに第二ねじ山１７２が、バンド４の下方で潤滑を可能にしていて展開することをさらに促進している。なお、その潤滑は、時に患者への挿入を補助するべくサポート表面１３０に塗布されるものである。第二ねじ山１７２が、好ましくは例えば第一ねじ山１７０（もしあるなら）のいずれにもほぼ真反対に配列されていて、そのことは、第二ねじ山１７２が、好ましくは第一ねじ山１７０に対してサポート表面１３０の周囲における真反対側に配列されていることを意味している。配列構成が図３−５に示めされている。第一ねじ山１７０及び第二ねじ山１７２は、サポート表面１３０の全周囲を囲んで交互に形成されていてもよくて、実質的にサポート表面１３０の周囲を囲む一続きのねじ山を形成している。
【００１９】
紮止バンド分配装置の寸法例は以下のとうりである。サポート表面は、例えば長さ約１５．２４〜２０．３２mm（約０．６〜０．８in）で、外径約１０．１６〜１５．２４mm（約０．４〜０．６in）であってもよい。チャンネルは、約７．６２〜１３．９７mm（約０．３〜０．５５in）であってもよい。スロットは、深さ約０．２５４〜１．０１６mm（約０．０１〜０．０４in）で、幅約０．１５２４〜０．２５４mm（約０．００６〜０．０１in）であってもよい。もしスロットが交互の深さを使用する場合、浅いスロットは、深さ約０．２５４〜０．５０８mm（約０．０１〜０．０２in）で、深いスロットは、深さ約０．５０８〜１．０１６mm（約０．０２〜０．０４in）であって、各々は、幅約０．１５２４〜０．２５４mm（約０．００６〜０．０１in）であってもよい。スロットは、隣接するスロット間の角度間隔が約６°〜１０°で先端部周囲に配列されていてもよい。
【００２０】
特許文献４は、第一山１７０が外表面（バンド４と接触する面）に摩擦面を含んでいてもよいことを開示している。摩擦面は、例えば複数の横断溝あるいはのこぎり歯の輪郭を含んでいてもよい。摩擦面は、バンド４が摺動するというよりはむしろ回転する傾向を増大させ、展開の信頼性を高めている。しかしながら特許文献４は、溝のサイズ、間隔又は数を提供していない。
【００２１】
図６は、横断溝を有している特許文献４の市販用の第一実施態様であるSPEEDBAND（商標名）のSUPER VIEW L.D.（Boston Scientific Corp.）における溝の輪郭を示めしている。図６に示めすように、その装置は、約０．９９０６mm（約０．０３９in）の溝ピッチＰ１で、約０．３８１mm（約０．０１５in）の溝深さＤ１であった。この装置は、以下に示めす寸法（各々ゆるめた状態（ハウジングから出された）の寸法）の紮止バンドを使用していた。外径（ＯＤ）は５．８１７mm（０．２２９in）で、内径（ＩＤ）は１．９０５mm（０．０７５in）で、壁面高さ（すなわちＩＤとＯＤとの間の距離）は１．９５６mm（０．０７７in）で、幅（バンドの中心を通過する軸に沿った方向に測定）は１．９５６mm（０．０７７in）であった。幅はほぼ壁面高さと同一であるので、これらのバンドの幾何学的断面形状は、ほぼ正方形である。図６に示めすようにハウジングで延伸される場合のバンド幅は約１．２７mm（約０．０５in）に収縮した。溝ピッチが約０．９９０６mm（約０．０３９in）であることから、従ってバンドの幅は溝ピッチより約２８％大きくて、バンドの幅を溝ピッチに比較して十分に大きくしている。
【００２２】
従来技術であるSPEEDBANND（商標名）のSUPER VIEW L.D.（Boston Scientific Corp.）における他の型式は、図６に示めすハウジングを使用していて、以下に示めす寸法（各々ゆるめた状態（ハウジングから出された）の寸法）の紮止バンドを使用していた。外径（ＯＤ）は５．８１７mm（０．２５９in）で、内径（ＩＤ）は１．９０５mm（０．０７５in）で、壁面高さ（すなわちＩＤとＯＤとの間の距離）は２．３３７mm（０．０９２in）で、幅（バンドの中心を通過する軸に沿った方向に測定）は１．９５６mm（０．０７７in）であった。幅はほぼ壁面高さと同一であるので、これらのバンドの幾何学的断面形状は、ほぼ長方形である。図６に示めすようにハウジングで延伸される場合のバンドの幅は約１．２７mm（約０．０５in）に収縮した。溝ピッチが約０．９９０６mm（約０．０３９in）であることから、従ってバンドの幅は溝ピッチより約２８％大きくて、バンドの幅を溝ピッチに比較して十分に大きくしている。
【００２３】
本発明は、紮止バンド分配装置用の改善した先端部を意図しているものであって、装置は、バンドの回転を促進する、横断溝あるいはねじ山の輪郭を有している。本発明における実施態様の一例を図８に示めす。図８に示めすように、その装置は、約１．５２４mm（約０．０６in）の溝ピッチＰ２で、約０．４５７２mm（約０．０１８in）の溝深さ（Ｄ２）である。本発明によるこの実施態様の装置を用いて使用する紮止バンドは、図９におけるハウジングに拡大して示めされている。これらの紮止バンドは以下に示めす寸法（各々ゆるめた状態（ハウジングから出された）の寸法）である。外径（ＯＤ）は６．２２３mm（０．２４５in）で、内径（ＩＤ）は１．９０５mm（０．０７５in）で、壁面高さ（すなわちＩＤとＯＤとの間の距離）は２．１５９mm（０．０８５in）で、幅（バンドの中心を通過する軸に沿った方向に測定）は２．１５９mm（０．０８５in）であった。幅はほぼ壁面高さと同一であるので、これらのバンドの幾何学的断面形状は、ほぼ正方形である。図９に示めすようにハウジングで延伸される場合のバンドの幅Ｗ２は約１．５２４mm（約０．０６in）に収縮する。溝ピッチが約１．５２４mm（約０．０６０in）であることから、本実施態様におけるバンド幅は、サポート表面に延伸される場合、サポート表面における横断溝あるいはねじ山のピッチとほぼ同一である。サポート表面で延伸されたバンドの幅が、サポート表面における横断溝あるいはねじ山のピッチとほぼ同一であるので、図９に示めすようにバンドが溝に合うようになっている。当業者において理解されるように、この形状構成は、バンドにおいてトリガラインが引かれる場合回転動作を誘発するために、バンドがねじ山頂部により十分に抑止されることを保証している。
【００２４】
本発明における他の実施態様において、サポート表面でバンドが延伸された場合にバンド幅はサポート表面における横断溝あるいはねじ山のピッチより小さくなるように、サポート表面における紮止バンドと、横断溝あるいはねじ山とが寸法化されている。サポート表面で延伸されたバンドの幅が、サポート表面における横断溝あるいはねじ山のピッチより小さいので、バンドが溝に合うようになっていて、構成は、回転作用を誘発するために、バンドがねじ山頂部により十分に抑止されることを保証している。
【００２５】
本発明における他の実施態様において、横断溝あるいはねじ山のピッチが延伸したバンドの幅にほぼ等しいか大きいことに加えて；横断溝あるいはねじ山は、バンドが、回転動作を誘発するべくねじ山頂部により十分に抑止されることを保証するために、ねじ山頂部の高さを十分に高くするように寸法化されている。従って例えば、ねじ山の高さと一致している溝の深さＤ２は、図８に示めすように約０．４５７２mm（０．０１８in）であってもよい。
【００２６】
前述したように、横断溝あるいはねじ山の輪郭は、いずれの紮止バンド分配装置、例えば特許文献４に示めされたものと同様の紮止バンド分配装置に使用できるものである。前述の実施態様に対して本発明の範囲を逸脱することなく修正が行なわれてもよいことは、当業者においては理解されるであろう。例えば、前述した原理に従う限り、例えば紮止バンド溝あるいはねじ山のピッチあるいは高さに対して他の寸法が選択されてもよい。特許請求の範囲に規定する本発明において、全範囲を保護することが意図されている。
【図面の簡単な説明】
【００２７】
【図１】図１は、従来技術における紮止バンド分配装置の側面図であって、紮止バンドの移動に影響する力を示めしている。
【図２】図２は、図１における重要部分の拡大図である。
【図３】図３は、従来技術における紮止バンド分配装置の斜視図である。
【図４】図４は、図３における従来技術の紮止バンド分配装置一部分の斜視図である。
【図５】図５は、図３における従来技術の紮止バンド分配装置の正面図である。
【図６】図６は、従来技術における紮止バンド分配装置のねじ山の輪郭の一部分の拡大図である。
【図７】図７は、紮止バンド分配装置の先端部の断面図である。
【図８】図８は、改善した本発明における紮止バンド分配装置の横断ねじ山輪郭の拡大図である。
【図９】図９は、図８における紮止バンド分配装置の横断ねじの一部を示めしていて、紮止バンドを所定位置に備えたものである。
【図１】
2005529651.tif 000003
【図２】
2005529651.tif 000004
【図３】
2005529651.tif 000005
【図４】
2005529651.tif 000006
【図５】
2005529651.tif 000007
【図６】
2005529651.tif 000008
【図７】
2005529651.tif 000009
【図８】
2005529651.tif 000010
【図９】
2005529651.tif 000011
【国際調査報告】
2005529651.tif 000012
2005529651.tif 000013